(57)【特許請求の範囲】
【請求項１】
下端開口の摘み筒２上端部から内向きフランジ３を介して内筒４を起立し、該内筒に割溝５を縦設した回動筒１と、
上記内筒４外面へ回動自在に嵌合させた筒内面に螺旋溝１０を形成した把持筒９と、
上記内筒４下部内面へ筒上部を上下動自在に嵌合させて、その筒下端部を内筒下端から下方へ突出させ、かつその筒上部外面から係合ピン１２を突設して、該係合ピンを上記割溝５を介して螺旋溝１０へ摺動自在に係合させた棒状化粧品保持筒１１と、
上記棒状化粧品保持筒１１の下部内面へ上下動自在に、かつ回動不能に嵌合させた上端閉塞の筒１６下端の左右方向一半を当接板１７で閉塞した底壁形成筒１５と、
上記摘み筒２内面へ強制回動自在に、かつ抜出し不能に嵌合させた、上記内筒４とほぼ同内径の周壁１９下面を閉塞する底壁２１の左右方向の他半から押上げ棒２２を起立して、該押上げ棒を上記底壁形成筒１５の他半内部へ遊挿させた押上げ筒１８とを有し、
上記押上げ筒１８は、押上げ棒２２を上記底壁形成筒１５の他半内部へ遊挿させて、押上げ棒２２上端を当接板１７下面から離脱させた非係合位置と、該非係合位置から所定角度回動して、押上げ棒２２上端を下降する当接板１７下面へ当接させて底壁形成筒１５を相対押上げ可能な係合位置とを有する、
ことを特徴とする棒状化粧品繰出し容器。
【請求項２】
上記押上げ筒底壁２１下面に、押上げ筒強制回動用のコイン２３一部が係合可能な上方湾曲の円弧状係合溝２４を形成し、更に押上げ筒１８の非係合位置において上記押上げ筒の回動方向と反対方向への回動を阻止し、かつ押上げ筒１８の係合位置において上記押上げ筒の回動方向と同方向への更なる回動を阻止する凹凸の係合手段２０を押上げ筒１８外面と摘み筒２内面との間に設けた、
ことを特徴とする請求項１記載の棒状化粧品繰出し容器。
【請求項３】
摘み筒３１上端内周部から、摘み筒とほぼ同内径の内筒３２を起立して、該内筒に割溝３３を縦設し、かつ摘み筒底壁３４の前後方向中間部に左右方向へ長く設けた矩形状孔３５を形成した回動筒３０と、
上記内筒３２外面へ回動自在に嵌合させた筒内面に螺旋溝１０を形成した把持筒９と、
上記回動筒３０下部内面へ上下動自在に嵌合させた筒上部外面から係合ピン１２を突設して、該係合ピンを上記割溝３３を介して螺旋溝１０へ摺動自在に係合させた棒状化粧品保持筒１１と、
上記棒状化粧品保持筒１１の下部内面へ上下動自在に、かつ回動不能に嵌合させた上端閉塞の筒１６下端の左右方向一半を当接板１７で閉塞した底壁形成筒１５と、
上記摘み筒底壁３４の矩形状孔内面へ左右方向に強制摺動自在に、かつ抜出し不能に嵌合させた基台４０上面から押上げ棒４２を起立して、該押上げ棒を上記底壁形成筒１５の他半内部へ遊挿させた押上げ台３８とを有し、
上記押上げ台３８は、押上げ棒４２を上記底壁形成筒１５の他半内部へ遊挿させて、押上げ棒４２上端を当接板１７下面から離脱させた非係合位置と、該非係合位置から摺動して押上げ棒４２上端を下降する当接板１７下面へ当接させて底壁形成筒１５を相対押上げ可能な係合位置とを有する、
ことを特徴とする棒状化粧品繰出し容器。
【発明の詳細な説明】
【０００１】
【発明の属する技術分野】
本発明は口紅等の棒状化粧品の繰出し容器に関する。
【０００２】
【従来の技術】
例えば、実開昭６３−９５５１８号等が示すように、下部が形成する摘み筒部を除く上方筒部分を収納筒部となし、該収納筒部に複数の割溝を縦設する主筒と、収納筒部外面へ回動可能に嵌合された、内面に複数条の螺溝を有する螺筒と、収納筒部内面に上下動可能に嵌合され、かつ外面から突出した係合ピンを割溝に上下動自在に挿通させて該ピン先端を螺溝内に係合させた棒状化粧品保持筒とからなる棒状化粧品繰出し容器が知られている。
【０００３】
【発明が解決しようとする課題】
棒状化粧品が使用により減少して、その高さが棒状化粧品保持筒上面よりも低下すると、棒状化粧品の塗布が困難となり、全部を使い切る前に廃棄しなければならなかった。
【０００４】
請求項１及び３記載の発明に係る棒状化粧品繰出し容器は、棒状化粧品保持筒の底壁を上昇可能に形成することにより、棒状化粧品を余すことなく使用可能にしようとするものである。
【０００５】
請求項２記載の発明に係る棒状化粧品繰出し容器は、上記請求項２記載の発明に係る棒状化粧品繰出し容器が有する解決課題を有するほか、押上げ筒底壁にコインが係合可能な係合溝を設けて、操作性の向上を図ろうとするのものである。
【０００６】
【課題を解決するための手段】
第１の手段として、下端開口の摘み筒２上端部から内向きフランジ３を介して内筒４を起立し、該内筒に割溝５を縦設した回動筒１と、
上記内筒４外面へ回動自在に嵌合させた筒内面に螺旋溝１０を形成した把持筒９と、
上記内筒４下部内面へ筒上部を上下動自在に嵌合させて、その筒下端部を内筒下端から下方へ突出させ、かつその筒上部外面から係合ピン１２を突設して、該係合ピンを上記割溝５を介して螺旋溝１０へ摺動自在に係合させた棒状化粧品保持筒１１と、
上記棒状化粧品保持筒１１の下部内面へ上下動自在に、かつ回動不能に嵌合させた上端閉塞の筒１６下端の左右方向一半を当接板１７で閉塞した底壁形成筒１５と、
上記摘み筒２内面へ強制回動自在に、かつ抜出し不能に嵌合させた、上記内筒４とほぼ同内径の周壁１９下面を閉塞する底壁２１の左右方向の他半から押上げ棒２２を起立して、該押上げ棒を上記底壁形成筒１５の他半内部へ遊挿させた押上げ筒１８とを有し、
上記押上げ筒１８は、押上げ棒２２を上記底壁形成筒１５の他半内部へ遊挿させて、押上げ棒２２上端を当接板１７下面から離脱させた非係合位置と、該非係合位置から所定角度回動して、押上げ棒２２上端を下降する当接板１７下面へ当接させて底壁形成筒１５を相対押上げ可能な係合位置とを有する。
【０００７】
第２の手段として、上記第１の手段を有すると共に、上記押上げ筒底壁２１下面に、押上げ筒強制回動用のコイン２３一部が係合可能な上方湾曲の円弧状係合溝２４を形成し、更に押上げ筒１８の非係合位置において上記押上げ筒の回動方向と反対方向への回動を阻止し、かつ押上げ筒１８の係合位置において上記押上げ筒の回動方向と同方向への更なる回動を阻止する凹凸の係合手段２０を押上げ筒１８外面と摘み筒２内面との間に設けた。
【０００８】
第３の手段として、摘み筒３１上端内周部から、摘み筒とほぼ同内径の内筒３２を起立して、該内筒に割溝３３を縦設し、かつ摘み筒底壁３４の前後方向中間部に左右方向へ長く設けた矩形状孔３５を形成した回動筒３０と、
上記内筒３２外面へ回動自在に嵌合させた筒内面に螺旋溝１０を形成した把持筒９と、
上記回動筒３０下部内面へ上下動自在に嵌合させた筒上部外面から係合ピン１２を突設して、該係合ピンを上記割溝３３を介して螺旋溝１０へ摺動自在に係合させた棒状化粧品保持筒１１と、
上記棒状化粧品保持筒１１の下部内面へ上下動自在に、かつ回動不能に嵌合させた上端閉塞の筒１６下端の左右方向一半を当接板１７で閉塞した底壁形成筒１５と、
上記摘み筒底壁３４の矩形状孔内面へ左右方向に強制摺動自在に、かつ抜出し不能に嵌合させた基台４０上面から押上げ棒４２を起立して、該押上げ棒を上記底壁形成筒１５の他半内部へ遊挿させた押上げ台３８とを有し、
上記押上げ台３８は、押上げ棒４２を上記底壁形成筒１５の他半内部へ遊挿させて、押上げ棒４２上端を当接板１７下面から離脱させた非係合位置と、該非係合位置から摺動して押上げ棒４２上端を下降する当接板１７下面へ当接させて底壁形成筒１５を相対押上げ可能な係合位置とを有する。
【０００９】
【発明の実施の形態】
以下、本発明に係る棒状化粧品繰出し容器の実施形態を図面を参照しながら説明する。
図１乃至図５は本発明に係る棒状化粧品容器の第１の実施形態を示す。
図１において、１は回動筒で、下端開口の摘み筒２上端に内向きフランジ３を付設し、該内向きフランジ内端から内筒４を起立し、該内筒の左右両部の上下方向中間部に、上下両端部が互いに周方向において反対方向に屈曲した割溝５を縦設する。また、摘み筒２上端部内面の左右両部に第１係合突起６を突設する。
なお、割溝５より下方内筒４部分外面を上向き段部７を介して大外径部に形成すると共に、内筒４上端部外面に第１突条８を周設する。
【００１０】
９は把持筒で、内筒４外面へ回動自在に嵌合させた筒内面に２条の螺旋溝１０を形成する。これら螺旋溝下端は割溝５下端に、かつ螺旋溝上端は割溝５上端に、それぞれ開口する。
また、把持筒９下端を上向き段部７上面へ回動可能に載置させると共に、把持筒９上端の内周部を第１突条８下面へ回動可能に係合させる。
【００１１】
１１は棒状化粧品保持筒で、内筒４下部内面へ筒上部を上下動自在に嵌合させて、その筒下端部を内筒４下端から下方へ突出させ、かつその筒上端部の左右両部外面から係合ピン１２を突設して、これら係合ピンを割溝５へ上下動自在に挿通させて、その先端部を螺旋溝１０下端へ摺動自在に係合させる。
また、棒状化粧品保持筒１１は、その内面に複数の係合突条１３を縦設すると共に、その下端部内面に第２突条１４を周設する。
【００１２】
１５は底壁形成筒で、図３にも示すように、棒状化粧品保持筒１１の下部内面へ上下動自在に嵌合させた上端閉塞の筒１６下端の左半部を当接板１７で閉塞して、筒１６下端を第２突条１４上面へ係合させる。
また、筒１６外面に複数の係合凹溝１６ａを縦設して、該係合凹溝を係合突条１３へ上下動自在に係合させることにより、筒１６を棒状化粧品保持筒１１に対して回動不能にする。
【００１３】
１８は押上げ筒で、図４にも示すように、内筒４とほぼ同内径の周壁１９を摘み筒２内面へ強制回動自在に、かつ凹凸の係合手段２０を介して抜出し不能に嵌合させ、また周壁１９下面を閉塞する底壁２１の右半部上面から押上げ棒２２を起立して、該押上げ棒を底壁形成筒１５の右半部内へ遊挿させる。
【００１４】
また、押上げ筒底壁２１下面中央部に、コイン２３の一部が係合可能な上方湾曲の円弧状係合溝２４を左右方向に形成する。
さらに、押上げ筒１８上端部外面の左右両部に第２係合突起２５を突設して、これら第２係合突起を第１係合突起６へ係合させる。これら第１及び第２係合突起６、２５は、後述するように、押上げ筒１８の同一方向への１８０°以上の回動を阻止するためのものである。
２６はキャップで、把持筒９を筒内に挿入させて筒下端部を内筒４の大外径部外面へ着脱自在に嵌合させている。
【００１５】
次に本実施形態の作用について説明する。
棒状化粧品を繰り出すには、図１に示すキャップ２６の閉栓状態において、把持筒９からキャップ２６を離脱させた後、把持筒９を把持して摘み筒２を開方向へ回動させればよく、すると係合ピン１２が螺旋溝１０に案内されて上昇し、これと共に棒状化粧品保持筒１１が上昇して、棒状化粧品が把持筒９上端から突出する。
使用後、棒状化粧品を収納するには、摘み筒２を上記と反対の閉方向へ回動させればよい。
【００１６】
使用により棒状化粧品の量が減少して塗布が困難になった場合には、摘み筒２を回動させて棒状化粧品保持筒１１を適当量繰り上げて、これと共に底壁形成筒１５を上昇させた後、円弧状係合溝２４へコイン２３一部を係合させて押上げ筒１８を約１８０°同一方向へ回動させる。すると押上げ棒２２も図１に示す位置から回動して軸対称の位置に移動すると同時に、図１において押上げ筒１８の右部に位置した第２係合突起２５が回動して、摘み筒２の左部に位置する第１係合突起６へ係合するため、押上げ筒１８のそれ以上の回動が不能になる。
【００１７】
次いで、棒状化粧品保持筒１１を繰り下げると、これと共に底壁形成筒１５も下降して押上げ棒２２上端に当接するため、底壁形成筒１５のそれ以上の下降は不能になる。この状態からさらに棒状化粧品保持筒１１を繰り下げると、図５に示すように、押上げ棒２２により底壁形成筒１５が相対的に押上げられて棒状化粧品が上昇する。
【００１８】
図６乃至図８は本発明に係る棒状化粧品繰出し容器の第２の実施形態を示す。
３０は回動筒で、摘み筒３１上端内周部から、摘み筒３１とほぼ同内径の内筒３２を起立して、該内筒の左右両部の上下方向中間部に、上下両端部が互いに周方向反対方向に屈曲した割溝３３を縦設し、かつ摘み筒底壁３４の前後方向中間部に左右方向へ長く設けた矩形状孔３５を穿設すると共に、該矩形状孔の前後両内側面に断面三角形状の左右方向へ延びる突条３５ａを形成する。
また、割溝３３より下方内筒３２部分外面を上向き段部３６を介して大外径部に形成すると共に、内筒３２上端部外面に第１突条３７を周設する。
【００１９】
なお、把持筒９、棒状化粧品保持筒１１、底壁形成筒１５及びキャップ２６については第１実施形態の把持筒、棒状化粧品保持筒、底壁形成筒及びキャップと同一構成であるから同一符号を用いて説明を省略する。
３８は押上げ台で、矩形状の台板３９下面の前後左右の各側縁から垂下板を垂下して基台４０を形成すると共に、台板３９の前後両面に断面三角形状の左右方向に延びる凹溝４１を形成して、矩形状孔３５の突条３５ａへ凹溝４１を摺動自在に係合させることにより、基台４０を矩形状孔３５内面へ嵌合させる。
さらに、基台４０上面から押上げ棒４２を起立して、該押上げ棒を底壁形成筒１５の右半部内へ遊挿させる。
【００２０】
次に本実施形態の作用について説明する。
棒状化粧品を繰り出すには、図６の閉栓状態において、キャップ２６を離脱させた後、摘み筒３１を開方向へ回動させて棒状化粧品保持筒１１を上昇させる。
棒状化粧品の量が減少した場合には、棒状化粧品保持筒１１を適当量繰り上げた後、基台４０下端に指等を掛けて押上げ台３８を左方へ摺動させて、押上げ棒４２を底壁形成筒１５の左半部下方へ位置させ、次いで摘み筒３１を閉方向へ回動させて棒状化粧品保持筒１１を繰り下げると、当接板１７が押上げ棒４２上端へ当接する。さらに、ここから棒状化粧品保持筒１１を繰り下げると、図８に示すように、底壁形成筒１５が押上げ棒４２により相対的に押し上げられる。
【００２１】
【発明の効果】
請求項１及び３記載の発明に係る棒状化粧品繰出し容器は、棒状化粧品保持筒の底壁形成筒を上昇可能に形成すると共に、当接板下面を押上げ棒上端へ当接可能にして、押上げ棒で底壁形成筒を相対押上げ可能に形成したので、棒状化粧品保持筒底部に棒状化粧品を余すことなく、ほぼすべての使用が可能になる。
【００２２】
請求項２記載の発明に係る棒状化粧品繰出し容器は、底壁形成筒を押上げ可能な押上げ筒にコインが係合可能な係合溝を形成したので、コインにより押上げ筒の回動操作が可能となり操作性が向上する。
【図面の簡単な説明】
【図１】本発明に係る棒状化粧品繰出し容器の第１の実施形態を示す半断面図。
【図２】同じく、割溝の正面図。
【図３】同じく、底壁形成筒の斜視図。
【図４】同じく、押上げ筒の斜視図。
【図５】同じく、底壁形成筒が押し上げられた状態を示す作用説明図。
【図６】本発明に係る棒状化粧品繰出し容器の第２の実施形態を示す半断面図。
【図７】同じく、図６の底面図。
【図８】同じく、底壁形成筒が押し上げられた状態を示す作用説明図。
【符号の説明】
１、３０  回動筒
２、３１  摘み筒
３  内向きフランジ
４、３２  内筒
５、３３  割溝
９  把持筒
１０  螺旋溝
１１  棒状化粧品保持筒
１２  係合ピン
１５  底壁係合筒
１６  筒
１７  当接板
１８  押上げ筒
１９  周壁
２１  底壁
２２  押上げ棒
２３  コイン
２４  円弧状係合溝
３４  底壁
３５  矩形状孔
３８  押上げ台
４０  基台
４２  押上げ棒
【図１】
0003771067.tif 000002
【図２】
0003771067.tif 000003
【図３】
0003771067.tif 000004
【図４】
0003771067.tif 000005
【図５】
0003771067.tif 000006
【図６】
0003771067.tif 000007
【図７】
0003771067.tif 000008
【図８】
0003771067.tif 000009